(57)【要約】【課題】ヘッドホンのユニットを簡単に収納、取り出し、コードの絡みを防止する形状可変の装置。【解決手段】耳介の内にあてがうヘッドホンの左右のユニット１、２を簡単な操作で収納、取り出しを行うため、左右のユニットが重なっても入れられる開口部１１と、左右のユニットの屈曲部４、５が引っかかりにくい円弧状断面の傘部１３が設けられる。分岐したコード８、９が引っ張られて移動しやすく摩擦で止まるために、開口部と反対側にスリット１８が形成された弾性変形開部１９が配置される。端部が交互につながれた複数の筒状部１２、１４、１７が中心軸を共通に重ねられ短縮された凹凸状に弾性材で形成され、外から２番目の筒状部１４と連続する端子間の部分１５、１６が薄く屈曲変形し易くされ、展開して形成される袋状の内に左右のユニットが容易に収納される。また、袋状から凹凸状に容易に戻って短縮され、左右のユニットが取出される。【選択図】図１
2011199713.tif 000002
【特許請求の範囲】
【請求項１】
面積の大きい開口部と面積の小さい弾性変形開部が中心軸を共通にして配置され、該開口部と該弾性変形開部の間に該中心軸を共通にする複数の筒状部が配置され、該筒状部の端部間の部分を交互に連続することで凹凸形状に弾性材で形成され、中心軸方向の移動による袋形状への展開と複数の前記筒状部を重ねる短縮が可能にされたヘッドホンのユニット収納装置。
【請求項２】
最外の前記筒状部から内側に偶数番目の前記筒状部と、偶数番目の前記筒状部から連続する端部間の部分が相対的に薄い弾性材で形成される請求項１記載のヘッドホンのユニット収納装置。
【請求項３】
前記開口部を形成する最外の前記筒状部の端部から外側に、前記中心軸を含む断面において円弧状の傘部が形成される請求項１または請求項２のいずれかに記載のヘッドホンのユニット収納装置。
【請求項４】
最外の前記筒状部に密着して筒状の部分を有する樹脂材が配置される請求項１から請求項３までのいずれかに記載のヘッドホンのユニット収納装置。
【請求項５】
最内の前記筒状部の端部の面にスリットが設けられることで前記弾性変形開部が形成される請求項１から請求項４までのいずれかに記載のヘッドホンのユニット収納装置。
【請求項６】
最内の前記筒状部の端部の面に貫通孔が設けられることで前記弾性変形開部が形成される請求項１から請求項５までのいずれかに記載のヘッドホンのユニット収納装置。
【請求項７】
最内の前記筒状部に近接して前記中心軸に平行な孔が形成され、突起部を有するクリップが該孔にはめ込まれて固定される請求項１から請求項６までのいずれかに記載のヘッドホンのユニット収納装置。
【発明の詳細な説明】
【技術分野】
【０００１】
本発明は、ヘッドホンのユニットを収納する装置に関する。
【背景技術】
【０００２】
左右の耳介の内に当てて音を再生するイヤホン（ヘッドホン）のユニットを収納する装置の従来技術として、特許文献１で示されるコード付電気部品収納ケースがある。収納時には、ケースを開けてコードを引っ張り、コードの先端のユニットをケースに収め、はめ込んで固定してケースを閉める。使用時には、ケースを開き、はめ込まれたユニットをはずし、ユニットを引き出し、コードを固定するための挟む位置を調整してケースを閉める。収納時、使用時における手間が掛かり、また異なるイヤホンに用いることができず、重いものになる。
【０００３】
扱いが比較的簡単なイヤホン（ヘッドホン）コードの従来技術として、特許文献２で示される。クリップの２箇所の凹部にイヤホンの左右のユニットの根元部をはさみ込んで固定する。使用時には、クリップの挟みを開放するだけで簡単だが、収納時には左右のユニットの根元部をクリップの２箇所の凹部に位置決めし、それぞれを保持しながら挟む手間がかかる。また、異なるイヤホンに用いることができない。ユニットの屈曲部やクリップ近傍でコードが巻きついて絡みやすい。
【０００４】
ヘッドホンのコードが絡まるのを防止する従来技術として、特許文献３で示される。伸縮自在の蛇腹手段の内にコードをカール状に収納する。蛇腹手段が長くなることが問題で、また、コードを収納させるのに手間がかかるか、充分に収めるのが困難である。また、異なるヘッドホンに用いることはできない。
【０００５】
ヘッドホンのコードの絡まりを少なくする従来技術として、左右に分岐されたコードが通り、移動可能にされた２つの孔を近接して有する小部品を用いたものがある。使用時にはコード分岐部の近傍に小部品を移してユニットを耳に装着でき、非使用時にはヘッドホンのユニットの根元部まで移動してユニットが大きく離れないようにする機構が用いられている。操作が簡単で、小さく、部品負担も少ないが、コードがユニットの屈曲した部分や根元部の近くで絡みやすく、コードの絡みを防ぐには十分でない。又、コードが衣服に触れて擦れる時にコードを伝って騒音が発生する。
【先行技術文献】
【特許文献】
【０００６】
【特許文献１】公開実用新案公報  平２−９８６８６
【０００７】
【特許文献２】公開特許公報  ２００５−８６４１７
【０００８】
【特許文献３】公開実用新案公報  平６−７０３９４
【発明の概要】
【発明が解決しようとする課題】
【０００９】
本発明のヘッドホンのユニット収納装置は、耳介の内にあてがう異なる種類、形状のヘッドホン（イヤホン）を使用することを前提に以下の課題を解決する。耳介の内にあてがうとは、耳の孔に入れることも含む。
【００１０】
解決されるべき課題の１は、使用時あるいは非使用時のヘッドホンのユニットの取り出し、収納を簡単にする。      
【００１１】
解決されるべき課題の２は、ヘッドホンのユニット収納時にコードの絡みが生じにくくする。
【００１２】
解決されるべき課題の３は、ヘッドホンのユニット非収納時の外形寸法を小さくし、軽いものにする。
【００１３】
解決されるべき課題の４は、デザインに発展性を持たせ、襟や胸ポケットなどに簡単に取り付けられる構成にする。
【００１４】
解決されるべき課題の５は、コードが衣服に擦れるときの騒音を少なくする。
【課題を解決するための手段】
【００１５】
本発明のヘッドホンのユニット収納装置は課題を解決するために以下の手段をとる。
【００１６】
請求項１において示されるように、中心軸を共有する大きい面積の開口部と小さい面積の弾性変形開部が形成され、ヘッドホンの左右のユニットに連結したコードが貫通される。さらに、開口部と弾性変形開部の間に複数の筒状部が配置され、隣接する筒状部の端部間の部分を交互に接続することで連続した凹凸状に弾性材で形成される。
【００１７】
開口部と弾性変形開部の部分を中心軸方向に移動して離し、内側の筒状部の一部とその筒状部の端部から連続する弾性材の部分を中心軸方向に折り返して袋状に展開し、またこの展開過程と逆に、袋状にされた状態から弾性変形開部を中心軸方向に移動して開口部の近くに戻し、複数の筒状部を中心軸を共通にして重ねることで外形を短縮した構成にする。
【００１８】
弾性変形開部に通したコードを引くことでヘッドホンの左右のユニットの一部が弾性変形開部に当たり、袋状に展開されてヘッドホンのユニットが収められ、袋状から短縮することでユニットを取り出すことことができる。
【００１９】
請求項２においては、最外の筒状部から偶数番目に内側の筒状部と、この偶数番目の筒状部から連続する端部間の部分が相対的に薄い弾性材で形成され、屈曲変形によって中心軸方向に反転し易くされ、ヘッドホンのユニット収納装置の展開と短縮が容易にされる。
【００２０】
請求項３では、最外の筒状部から外側に連続して中心軸を含む面における円弧状断面の傘部が形成され、左右のユニットの屈曲した部分や窪んだ箇所が引っかかりにくくし、展開された袋状の中に納まり易くされる。
【００２１】
請求項４では、最外の筒状部の内側に密着して筒状の部分を有する樹脂材が配置されて、剛性を大きくしながら軽量化をはかり摩擦を小さくして左右のユニットが収まり易くされる。
【００２２】
請求項５では、最内の筒状部の端部の弾性変形開部を構成する部分にスリットが形成され、弾性変形することで、スリットの幅より大きい径のコードが中心軸方向に移動可能にされ、摩擦で止まることを可能にする。
【００２３】
請求項６では、最内の筒状部の端部の弾性変形開部を構成する面に貫通孔が形成され、弾性変形することで、コードが中心軸方向に移動可能にされ、摩擦で止まることを可能にする。
【００２４】
請求項７では、最内の筒状部の近傍に中心軸と平行な孔が形成され、この孔より太めの突起部を有するクリップがはめ込まれて一体化される。クリップで衣類に挟んで全体を固定し、コードの衣服との擦れを少なくする。
【発明の効果】
【００２５】
本発明のヘッドホンのユニット収納装置は、耳介の内にあてがう一般的なヘッドホン（イヤホン）に広く適用できる。
【００２６】
また、ヘッドホンのユニットがコードを引くだけで収納され、単に袋状の底に指をあてがってユニットを出す動作のみで使用状態にできる簡単な操作で済む。
【００２７】
また、ヘッドホンのユニットが袋状の内側に収納されて、ユニットの屈曲した部分あるいは窪んだ箇所が隠されることでコードが絡みにくくなる。    
【００２８】
また、袋状に展開した大きい外形から、複数の筒状部を重ねて凹凸形状に短縮することで、ヘッドホン使用時の外形を小さくできる。  
【００２９】
また、コードが衣服を擦る時に生じる騒音を大きく低減する。
【００３０】
また、クリップの使用、不使用が選択できる。  
【００３１】
そして、デザインを重視した形状を選択しやすい。
【図面の簡単な説明】
【００３２】
【図１】ヘッドホンのユニットを収納する前の短縮された本発明の実施例１を断面図で示す。
【図２】ヘッドホンのユニットが収納する展開された本発明の実施例１を断面図で示す。
【図３】ユニット未収納時の短縮された本発明の実施例２を断面図で示す。
【図４】短縮された本発明の実施例３を断面図で示す。
【図５】本発明の実施例３を斜視図で示す。
【図６】短縮された本発明の実施例４を断面図で示す。
【発明を実施するための形態】
【００３３】
本発明のヘッドホンのユニット収納装置を説明するため、以下の実施例で記述する。
【実施例１】
【００３４】
図１は、実施例１の本発明のヘッドホンのユニット収納装置１を示す。ヘッドホンの左右のユニット２、３が収納されず、中心軸方向に外形が短縮された形状の断面図である。左右のユニット２、３全体が袋状に展開されるヘッドホンのユニット収納装置１の内に収納されることで、左右のユニット２、３の屈曲部４、５や根元部６、７の窪んだ箇所が覆われ、分岐したコード８、９や、一体化したコード１０が絡みにくくすることを意図する。
【００３５】
ヘッドホンのユニット収納装置１は、左右のユニット２、３が重なった状態でも入るように、適当に大きい面積の開口部１１を有する。左右のユニット２、３の屈曲部４、５がひっかかりにくいように、最外の筒状部１２の端部で形成される開口部１１から外側に連続して、中心軸を含む面での断面が円弧状の傘部１３が連続して形成される。片方の手でヘッドホンのユニット収納装置１を持ち、他方の手で一体化したコード１０を中心軸方向に引っ張ることで左右のユニット２、３が収納される。    
【００３６】
形状の大きい左右のユニット２、３全体をヘッドホンのユニット収納装置１に収納するには、ヘッドホンのユニット収納装置１の形状を中心軸方向に袋状に展開して容積を大きくする必要がある。図１では、ヘッドホンのユニット収納装置１は中心軸方向に短縮された非収納状態が示されている。中心軸方向に形状を可変にするには、開口部１１を形成する最外の筒状部１２を固定し、外から２番目の筒状部１４、および外から２番目の筒状部１４の端部から連続する端部間の部分１５、１６を中心軸方向に反転して袋状に展開できる構成にする。
【００３７】
実施例１で示されるヘッドホンのユニット収納装置１は、傘部１３から最外の筒状部１２、端部間の部分１５、外から２番目の筒状部１４、端部間の部分１６、最内の筒状部１７、および弾性変形開部１９までゴムや軟質塩化ビニール樹脂などの弾性材で凹凸形状に連続して形成される。最外の筒状部１２は比較的厚くて比較的高剛性に、それぞれの端部間の部分１５、１６および外から２番目の筒状部１４は相対的に薄くされて屈曲変形し易く、そして最内の筒状部１７は相対的に厚くされる。最内の筒状部１７の端部にはスリット１８を有して相対的に面積が小さくされた弾性変形開部１９が設けられる。スリット１８は、中心近傍を通る１本で、あるいは中心近傍から複数の方向に分岐した形で形成される。
【００３８】
弾性変形開部１９のスリット１８は分岐したコード８、９の径より狭い幅にされ、分岐したコード８、９が中心軸方向に移動しやすく、引く力がなくなると摩擦で止まるように、弾性変形して弾性力を分岐したコード８、９に加える。また、一体化したコード１０の端に設けられるヘッドホン端子２０を通すこと、および、大きくされることもある分岐部２１も通す長さと形状のスリット１８を有する弾性変形開部１９にされる。弾性変形開部１９は最内の筒状部１７の底、あるいは、ヘッドホンのユニット収納装置１が展開されて形成される袋状の底に相当する。
【００３９】
図２は、図１の実施例１で示したヘッドホンのユニット収納装置１が中心軸方向に展開され、袋状にされて左右のユニット２、３が収納された状態を断面図で示す。断面図で示されるのはヘッドホンのユニット収納装置１のみである。左右のユニット２、３の屈曲部４、５、および根元部６、７は袋状の空間の内側に隠されることで、分岐したコード８、９および一体化したコード１０が左右のユニット２、３に絡まない。
【００４０】
左右のユニット２、３は一体化したコード１０で引かれ、根元部６、７が底に相当する弾性変形開部１９の近傍で止められことで全体が収納される。収納される過程で、図１のように中心軸を共通にして複数の筒状部１２、１４および１７が重なって全体が短縮された状態から、外から２番目の筒状部１４と、連続する端部間の部分１５、１６の相対的に薄い弾性材が屈曲変形を伴って中心軸と平行で弾性変形開部１９の移動する方向に形状を変えていく。左右のユニット２、３の屈曲部４、５は傘部１３に当たりながら止まらずに開口部１１に入る。主な変形が終わると展開された袋状で安定し、分岐したコード８、９は弾性変形開部１９のスリット１８による摩擦で止められ、左右のユニット２、３は袋状の空間内にとどまる。
【００４１】
図２の袋状に展開されて左右のユニット２、３が収納された状態から、図１で示される非収納の短縮された状態に戻すには、図２の最外の筒状部１２を持ちながら、底に相当する弾性変形開部１９、あるいは最内の筒状部１７の端部を押すことで左右のユニット２、３を簡単に外に押し出すことができる。少しユニット２、３が出たら、左右のユニット２、３を持ちながら、分岐したコード８、９を必要な長さまで引き出す。図１の短縮された状態から図２の展開された形状にされる過程で反転された部分は、開口部１１の方向に押されて屈曲変形しながら図１の形状に自ら復帰して安定し、中心軸方向に短縮された状態になる。
【実施例２】
【００４２】
図３は、実施例２を示すものである。本発明のヘッドホンのユニット収納装置２２が中心軸方向に短縮された断面図で示される。実施例１で示されたように、傘部２３、最外の筒状部２４、外から２番目の筒状部２５、最内の筒状部２６および弾性変形開部２７まで凹凸状に弾性材で連続して形成される。隣接する最外の筒状部２４と外から２番目の筒状部２５、外から２番目の筒状部２５と最内の筒状部２６は交互に端部間の部分２８と２９で連続される。端部間の部分２８、２９は、外から２番目の筒状部２５とともに相対的に薄くされた弾性材で形成されて屈曲変形し易くされる。 
【００４３】
最外の筒状部２４の内側に筒状の部分を有する高剛性の樹脂材３０が密着して配置され、傘部２３に近接して傘状にされて外側に延長される。樹脂材３０は、最外の筒状部２４と傘部２３の剛性を補い、手による外力が加わった場合にも開口部３１がつぶれないようにされ、左右のユニット３２、３３を収め易くする。また、左右のユニット３２、３３が開口部３１の周辺に当たって移動する場合の摩擦を小さくして開口部３１から入り易くされる。樹脂材３０が配置されることにより、最外の筒状部２４や傘部２３を薄くしても必要な剛性を確保でき、軽量化を図ることができる。図３のヘッドホンのユニット収納装置２２における短縮された状態から左右のユニット３２、３３を収納する過程は、図１と図２で示した実施例１の左右のユニット２、３を収納する過程と同じである。
【実施例３】
【００４４】
図４は、本発明のヘッドホンのユニット収納装置の実施例３を断面図で示すものである。ヘッドホンのユニット収納装置３４の最内の筒状部３５の近傍に中心軸と平行な孔３６が形成される。孔３６の中心が、図４では最内の筒状部３５の内側に形成されているが、最内の筒状部３５と一致する位置、あるいは外側に配置されてもよい。孔３６に近似した形状で少し太い断面の突出部３７を有するクリップ３８が、孔３６に突出部３７がはめ込まれることによってヘッドホンのユニット収納装置３４に一体化される。    
【００４５】
突出部３７を有するクリップ３８は、比較的柔らかい樹脂材で一体的に成形され、金属の板ばね３９が操作部４０の内側に配置される。挟み部４１で衣服の襟や胸ポケットなどを挟むことによってヘッドホンのユニット収納装置３４が固定され、分岐したコード４２、４３が耳から適当な長さにされる。使用時に、分岐したコード４２、４３、あるいは一体化したコード４４のたるみや揺れが少なされる。さらに、各コードを衣服と擦りにくくし、弾性変形開部４５の弾性材で各コードを止めることにより、分岐したコード４２、４３を伝播して左右のユニットから入る騒音のレベルを低減できる。  
【００４６】
図５は、図４で示したクリップ３８を一体化した実施例３の本発明のヘッドホンのユニット収納装置３４を斜視図で示すものである。ヘッドホンのユニット収納装置３４は、図３の実施例２で示されたヘッドホンのユニット収納装置２２と同様の形態を有する。弾性材の傘部４６に近接して樹脂材４７が中心軸方向の外側に配置される。樹脂材４７の端の形状は、図示されてない左右のユニットが収納され易くする機能を有すかぎり、必ずしも端の形状が円形にされる必要はない。また、樹脂材４７の色は、弾性材の傘部４６および内側の部分４８と色の異なるものにできる。結果、選択できるデザインの範囲を広くできる。  
【００４７】
クリップ３８はヘッドホンのユニット収納装置３４に密着して固定され、クリップ３８の外形状が比較的小さく滑らかにされることで、分岐したコード４２、４３、および一体化したコード４４と絡みにくくされる。
【実施例４】
【００４８】
図６は、本発明のヘッドホンのユニット収納装置の実施例４を示す。ヘッドホンのユニット収納装置４９が断面図で示される。外から最外の筒状部５０、外から２番目の筒状部５１、３番目の筒状部５２、４番目の筒状部５３、そして最内である５番目の筒状部５４が中心軸を共通にして重ねて配置され、各筒状部の端部が交互に端部間の部分５５、５６、５７、５８で接続されることにより連続した凹凸状に弾性材で形成される。  
【００４９】
外から偶数番目の筒状部５１、５３、および筒状部５１、５３の端部に接続される端部間の部分５５、５６、５７、５８は相対的に薄い弾性材で連続して形成され、一体化したコード５９が中心軸方向に引かれて左右のユニット６０、６１の根元部６２、６３が弾性変形開部６４に当たると、あるいは当たる前に相対的に薄い弾性材の部分が屈曲変形しながら中心軸方向（図６の上から下の方向）に反転され、ヘッドホンのユニット収納装置４９が袋状に展開され、左右のユニット６０、６１が内に収納される。
【００５０】
複数の筒状部の数が多くなると、左右のユニット６０、６１を収納する袋状の深さを一定にした場合、個々の筒状部の中心軸方向の高さを小さくでき、複数の筒状部を重ねた状態の高さを小さくできることで外形を小さくできる。
【００５１】
分岐したコード６５、６６が引かれて通り、止められる弾性変形開部６４に貫通孔６７を形成しても良い。実施例１や実施例２で示したスリット１８と異なり、貫通孔６７の形や径を変化させる必要があるため、貫通孔６７近傍の弾性材を相対的に薄くするとよい。この貫通孔６７にはヘッドホン端子６８や分岐部６９も通るようにされる必要があり、実施例１で示されたスリット１８と併用されてもよい。
【産業上の利用可能性】
【００５２】
携帯用機器の耳介の内に当てる構成のヘッドホンの種類、形状を選ばず、簡単な操作でユニットの収納と取り出しができ、コードの絡みをより少なくし、擦れによる騒音を少なく、デザイン選択を広くできる。
【符号の説明】
【００５３】
１、２２、３４、４９    ヘッドホンのユニット収納装置
２、３、３２、３３、６０、６１    左右のユニット
４、５    屈曲部
６、７、６２、６３    根元部
８、９、４２、４３、６５、６６    分岐したコード
１０、４４、５９    一体化したコード
１１、３１    開口部
１３、２２、４６    傘部
１２、２４、５０    最外の筒状部
１４、２５、５１    外から２番目の筒状部
１７、２６、３５、５４    最内の筒状部
１８    スリット
１９、２７、４５、６４    弾性変形開部
２０    ヘッドホン端子
３０、４７    樹脂材
３６    孔
３７    突出部
３８    クリップ
６７    貫通孔      
【図１】
2011199713.tif 000003
【図２】
2011199713.tif 000004
【図３】
2011199713.tif 000005
【図４】
2011199713.tif 000006
【図５】
2011199713.tif 000007
【図６】
2011199713.tif 000008